(57)【要約】      （修正有）【課題】低掘削溝内における水道及びガス管等の地中配管接続工事の際に、管の接続部分に掘削溝の壁面や地表の小さな砂利や粉塵等が混入付着するのを防止することができる配管接合時の防砂塵装置を提供する。【解決手段】耐熱性、難燃性、耐久性等に優れた繊維の織物の表面を防水加工した防砂塵シート１の上下端に、掛け軸の軸棒２、２’のようにシート部分より突き出た軸先３、３’を有し、かつ、風でシートが簡単に揺れたり捲れたりしない程度の重量を有する軸棒を取り付け、かつ、両端の軸先に、足の長いくぎや長さ調整可能な支持棒の下端部を挿入するための固定穴７を開設して基本的な構造の配管接合部保護装置Ａを構成する。【選択図】図１
2014088751.tif 000002
【特許請求の範囲】
【請求項１】
耐熱性、難燃性、耐久性等に優れた不燃性のシートよりなる防砂塵シートの上下端に掛軸の軸棒に類似した錘を兼ねた軸棒の軸先に地表に固定するための足長のくぎ若しくは掘削溝の両側に差渡して配管接合部保護装置を固定するための長さ調整可能な支持棒の下端部を挿入できる大きさの固定穴を開設したことを特徴とする配管接合部保護装置。
【請求項２】
軸棒の軸先の部分を略立方体状・直方体状あるいは球状体等適宜の形状に太くして重くしたことを特徴とする請求項１記載の配管接合部保護装置。
【請求項３】
防砂塵シートの色を黄色等目立ちやすい色に着色し、表面に注意書コーナーを設けたことを特徴とする請求項１記載の配管接合部保護装置。
【請求項４】
上部の軸棒の軸先に係止用の凸条を設けたことを特徴とする請求項１記載の配管接合部保護装置。
【請求項５】
立方体、直方体あるいは球体等の形状で、軸先に凸条を設けた配管接合部保護装置の軸先を挿入する支持穴を１側面に開設するとともに、該側面とその対向面を除いた残りの各面に支持棒の下端部を挿入する固定穴を設け、配管接合部保護装置に連結した状態で掘削溝の両側に配設し、支持棒の下端部を固定穴に挿入して両配管接合部保護装置を固定できるようにしたことを特徴とする固定具。
【発明の詳細な説明】
【技術分野】
【０００１】  本発明は、主として低掘削溝内における水道及びガス管等の地中配管接続工事の際に、管の接続部分に掘削溝の壁面や地表の小さな砂利や粉塵等が混入付着するのを防止することができる配管接合部保護装置に関するものである。【０００２】  本発明は、深さが１．５ｍ以下の土止め等を必要としない低掘削溝の地表部及び壁面に垂らした不燃性のシートで塵埃や小砂利が風や身体等の接触により飛散して管の接続部分へ付着したり管内に混入するのを防止することができ、しかも構造が簡単で軽量であるから、設置が容易であり、かつ作業中の移動もきわめて容易に行うことができるなどの特徴を有している。
【背景技術】
【０００３】  規定上掘削深さが１．５ｍ以上の場合の配管工事は矢板掘削が原則とされ、１．５ｍ未満の場合でも土質等により崩落等の危険性がある場合は同様の措置を施すことになっている。
掘削溝が１．５ｍ以上の掘削溝の場合はその内壁が矢板等で蔽ってあるので、配管工事の際に身体が壁面に触れても土砂が崩れて配管の接続部に付着する恐れは比較的に少ないが、１．５ｍ未満の低掘削溝内での作業の場合は矢板等での土止め工事が省略されるケースが殆どであり、しかも、掘削幅が狭いために、壁面と作業員との接触あるいは風その他の要因で埃や小砂利等が配管の接続部分に付着して支障が生じる場合が多々発生しており、その対策が求められている。【０００４】  特に市街地の狭い道路における配管工事は掘削幅の狭い箇所での作業が多いため、掘削壁に身体が接触する頻度か高く、したがって土砂が離脱して配管の接合面に付着する頻度が極めて高いので、その対策が緊急に求められている。【０００５】  また、低掘削溝においては、配管工事中の接合部分が地表に近い為に風や通行人あるいは他の作業員の動きにより飛び散った小砂利や埃の影響を受けやすく、接続作業箇所に近い地表を覆う必要がある。【０００６】  従来の土止め技術は、主として１．５ｍ以上の掘削溝を対象にしたものが主体であり、例えば、施工が容易で迅速に掘削及び土止め作業ができるように、掘削溝の上部内側面に補助版を配置して掘削溝上部の土止めを行い、その補助板に矢板を上下動可能且つ傾動不能に保持させることを目的とした掘削溝の土止め装置および土止め工法に関する技術が特開平７−２０７６６４に開示されている。【０００７】  また、特開１０−１８２０８１には、掘削溝の両壁面を矢板で覆い、両矢板に複数の水圧ジャッキを配置し、この水圧ジャッキに水を送り込んでピストンを押し出して矢板間で突っ張らせて掘削溝の両壁面の土止めをする技術が記載されている。【０００８】  特開２０００−１０４２５５には、土止め装置の設置及び撤去作業を迅速に行うために、装置の大半を地上で組み立て、簡単な据え付け作業で掘削溝に設置し、工事終了後にはクレーン等で容易に吊り上げ撤去できる土止め装置が公開されている。【０００９】  以上３件の特許文献はいずれもその構造から掘削深が１．５ｍ以上の掘削溝を対象としたものと推測される。【００１０】
【特許文献１】  特開平７−２０７６６４  公報
【特許文献２】  特開１０−１８２０８１  公報
【特許文献３】  特開２０００−１０４２５５  公報
【発明の概要】
【発明が解決しようとする課題】
【００１１】  以上に述べた従来の土止め装置とか土止め工法は主として掘削溝の深さが１．５ｍ以上の大掛かりな配管工事を対象としたものであるが、本発明のように水道及びガス管を対象とした低掘削溝内での配管接合時に、風で飛ばされた塵や掘削壁と作業員の身体との接触により剥離した小砂利等が配管の接合部分へ付着するのを防止することを目的とした先行技術は発見できなかった。【００１２】  本発明は、上記のように、低掘削溝内における水道及びガス管等の地中配管接続工事の際に、管の接続部分に掘削溝の壁面や地表の小さな砂利や粉塵等が混入付着するのを簡単に防止することができる配管接合部保護装置で、その構造も軽量にして移動、設置、操作が容易で配管接合部分の保護効果を効率よく高めることができる装置を提供することを目的としたものである。
【課題を解決するための手段】
【００１３】本発明は、上記目的を達成するために、主として深さが１．５ｍ以下の土止め等を必要としない低掘削溝近傍の地表部及び壁面に垂らして、塵や小砂利等の透過を防止する防砂塵シートとして、ポリエステルやナイロンなどの合成繊維からなる布の表面を不燃性の樹脂でコーティングしたもの等を使用し、その上下端には掛け軸の軸棒及び風鎮を取り付ける部分に類似した軸先を有する形状の錘を取り付けたり、さらには上端に取付ける軸棒（断面の形状は丸でも角でも可）の軸先を太くしたり、あるいは軸先に立方体、直方体その他任意の形状の錘を兼ねた固定具を取り付けることも可能な配管接合部保護装置に関するものである。【００１４】  上記配管接合部保護装置は軸先に設けた固定穴に、Ｕ字状若しくは直状の足の長いくぎや掘削溝の両側に渡して配管接合部保護装置を支持するための支持棒の下端を挿入して固定する。【００１５】    配管接合部保護装置を掘削溝の地表面及び側壁の底面に固定する方法は、▲１▼掘削溝の地表及び底面に配置した配管接合部保護装置の下端の軸棒の軸先に設けた固定穴に直接Ｕ字状若しくは足長のくぎ類を挿通して固定した後、上端の固定穴にくぎ類を打ち込み固定したり、長さ調整可能な支持棒の下端部を固定穴に挿入した後に固定ねじを締めて固定する方法、▲２▼配管接合部保護装置の上部の軸棒の軸先に固定具を装着固定した場合は、掘削溝の両側の相対する該固定具に設けた固定穴に支持棒下端部を挿入し固定ねじを締めて固定する方法である。
【発明の効果】
【００１６】  当該配管接合部保護装置は風その他による地表の小さな砂利や粉塵の飛散あるいは掘削溝の壁面と作業員の身体と壁面の接触により落下する土や小砂利等の管の接続部への混入付着あるいは管内への侵入を簡単に防止する本来の目的を十分に発揮できることはもちろんであるが、構造が簡単な数個の部品で構成されているので、安価に提供できるとともに搬入搬出がきわめて容易であり、かつ設置作業も１人の作業員で容易に行うことができるなど作業効率や経済効果もきわめて大である。
また、保護シートの色を黄色等周囲に注意を喚起する色にしたり、シート表面に注意を促す文言を記載して通行人や他の作業員に警告を発することができるので作業現場近辺での行動に注意を促して塵や埃、小砂等の飛散防止に効果があり、さらには土止めを必要としない１．５ｍ以下の掘削工事においては掘削溝が崩落して作業員が土砂に埋まるケースが希に発生する場合があり、その際にシート部分が作業員を覆って土砂が直接作業員の身体に触れて鼻孔や口を塞いで呼吸困難に落ちることを防止できたり、救出作業時には土砂の中から作業員の身体を発見しやすくなり救出作業を速やかに実行することができるなど数多くの特徴を有する。
【実施するための最良の形態】
【００１７】    以下、発明の実施例を図１〜図５に基いて詳述する。
【００１８】  図１において、耐熱性、難燃性、耐久性等に優れた繊維、例えばポリエステル繊維の織物の表面を塩化ビニール、フッ素あるいはアクリル等で樹脂加工した防水性の防砂塵シート（１）を縦・横２ｍ位に裁断し、その上下端に、掛け軸の軸棒のようにシート部分より突き出た軸先を有し、かつ、風でシートが簡単に揺れたり捲れたりしない程度の重量、例えば、３〜５ｋｇ程度の重量の錘を兼ねた断面形状が丸若しくは角の高さが５０〜１００ｍｍ程度の軸棒（２）（２‘）を取り付け、該軸棒（２）（２‘）の両端の軸先（３）（３’）には地表に固定するためのＵ字形若しくは足長のくぎ（４）若しくは掘削溝（５）の両側に差渡して配管接合部保護装置を固定するための長さ調整可能な支持棒（Ｂ）の下端部（足の部分）（６）を挿入できる大きさの固定穴（７）を開設して基本的な配管接合部保護装置（Ａ）を構成する。
なお、上下の軸棒（２）（２‘）の軸先（３）（３’）の構造は同一の方が製造コストの面では有利ではあるが、目的に応じて変更することも可能である。
例えば、下方の軸棒（２‘）は掘削溝（５）内は狭いので単なる棒状の方が作業時の障害になりにくいが、上方の軸棒（２）の形状は、軸先（３）を太くしたり、方形、球形あるいは楕円形等任意の形状に膨らまして錘の効果を高め、かつ、数か所に支持棒（Ｂ）の下端部（６）を挿入する固定穴（７）を開設しておく。
なお、防砂塵シート（１）の色を黄色に着色したり、表面に注意書コーナー（８）を設けることにより通行人や他の作業員に危険性を告知したり、配管接合作業現場付近での静かな行動をお願いすることも可能であり、危険防止と防塵効果の強化を図ることができる。
【００１９】  また、図２に示すように配管接合部保護装置（Ａ）の上部を固定するための補助的な固定具（Ｃ）として、立方体あるいは直方体あるいは球体等の形状で該配管接合部保護装置（Ａ）の軸棒（２）の軸先（３）を挿入する支持穴（９）を１側面に開設し、例えば立方体あるいは直方体では、この支持穴（９）を開けた面とその対向面を除いた各面に、支持棒（Ｂ）の下端部（６）を挿入する固定穴（７）を設けて上記同様配管接合部保護装置（Ａ）を地表に固定するための固定具（Ｃ）を構成する。
なお、軸棒（２）が四角の場合は必要ないが、丸棒の場合は、配管接合部保護装置（Ａ）が固定具（Ｃ）内での回転を防止するために軸先（３）の一部に凸条（１０）を設けると同時に、固定具（Ｃ）の支持穴（９）に凸条（１０）に対応する位置に凹溝（１１）を開設して該凸条（１０）と凹溝（１１）を嵌合固定させ、例えば固定具が立方体である場合は固定具（Ｃ）を９０度回転させるとその１辺の長さ分だけ配管接合部保護装置（Ａ）の設置位置を調整することができる。
【００２０】  当該配管接合部保護装置（Ａ）の設置方法は次の手順による。
図５及び図６に示すように、配管接合部保護装置（Ａ）を掘削溝（５）の両側に仮置きし、その下端部を足長のくぎ（４）等で掘削溝（５）の側壁底部に固定したのち地表面に仮配置した配管接合部保護装置（Ａ）の固定位置を定め、軸棒（２）の両端の軸先（３）に設けた固定穴（７）を利用して直接足長くぎ（４）等で地面に固定するか、若しくは長さ調整可能な支持棒（Ｂ）の両下端（６）をそれぞれ対応する固定穴（７）に挿入したのちに固定ねじ（１１２）を締めて両配管接合部保護装置（Ａ）が移動しないよう固定する。
なお、配管接合部保護装置（Ａ）に固定具（Ｃ）を接続した場合は、固定穴（７）に支持棒（Ｂ）の両下端（６）をそれぞれ挿入したのちに固定ねじ（１２）を締めて両配管接合部保護装置（Ａ）を同様に固定する。
【００２１】  上記のように、本発明の配管接合部保護装置（Ａ）を低掘削溝（５）の両側面に設置しておくと掘削溝内における水道及びガス管等の地中配管接合工事の際に風が吹いたり、狭い掘削溝での作業中に作業員の身体が壁と接触して小さな砂利や粉塵等が管の接合部分に付着したり管内に混入するのを防止することができるとともに、掘削溝（５）が崩落した場合にシート部分（１）が作業員の身体を覆って土砂が直接作業員の鼻孔や口を塞いで呼吸困難に落ちることを防止できたり、救出作業時には土砂の中から作業員の身体を発見しやすくなり救出作業を速やかに実行することができるなど数多くの特徴を有する。
【図面の簡単な説明】
【００２２】
【図１】配管接合部保護装置（Ａ）の斜視図
【図２】配管接合部保護装置（Ａ）と固定具（Ｃ）の関係を示す斜視図
【図３】Ｕ字若しくは棒状のくぎの（４）側面図
【図４】支持棒（Ｂ）の斜視図
【図５】配管接合部保護装置（Ａ）を設置した状態を示す斜視図
【符号の説明】
【００２３】  Ａ  配管接合部保護装置
Ｂ  支持棒
Ｃ  固定具
１  防砂塵シート
２、２‘  軸棒
３  軸先
４  足長のくぎ
５  掘削溝
６  支持棒の下端部
７  固定穴
８  注意書きコーナー
９  支持穴
１０  凸条
１１  凹溝
１２  固定ねじ
【図１】
2014088751.tif 000003
【図２】
2014088751.tif 000004
【図３】
2014088751.tif 000005
【図４】
2014088751.tif 000006
【図５】
2014088751.tif 000007